(57)【要約】【課題】ベッドパッドのみを清掃することのできる寝具用振動発生装置を提供する。【解決手段】ベッド台Ａ及びマットレスＢの上に載置されるベッドパッド１と、音楽等の音声信号を再生する音響ユニットと接続されて音響ユニットからの信号を受けて人の可聴領域における低周波数帯の振動を発生する一乃至複数の振動子、及びベッドパッド１に取り付けられて内部に振動子を収納するカバー２１から成る振動ユニット２とから構成され、振動ユニット２をベッドパッド１に着脱自在に取り付けるための袋状の収納部１２をベッドパッド１の足側に一体に設けた。【選択図】図１
2010005204.tif 000002
【特許請求の範囲】
【請求項１】
ベッド台の上に載置されるベッドパッドと、外部の機器と接続されるとともに外部の機器からの信号を受けて人の可聴領域における低周波数帯の振動を発生する一乃至複数の振動子、及びベッドパッドに取り付けられて内部に振動子を収納するカバーから成る振動ユニットとで構成され、ベッドパッドには、振動ユニットを着脱自在に取り付ける取付機構が設けられたことを特徴とする寝具用振動発生装置。
【請求項２】
前記ベッドパッドは、布製の袋体の内部に弾性を有し且つ洗濯可能な素材を収納して成ることを特徴とする請求項１記載の寝具用振動発生装置。
【請求項３】
前記取付機構は、ベッドパッドにおいて横臥する人の足側と対応する位置に配設されることを特徴とする請求項１又は２記載の寝具用振動発生装置。
【請求項４】
前記ベッドパッドは、布製の袋体の内部に弾性を有し且つ洗濯可能な素材を収納して成るベッドパッド本体と、ベッドパッド本体の少なくとも人が横臥する面を覆う外カバーとから成り、外カバーは、洗濯可能な素材から成ることを特徴とする請求項１乃至３の何れか１項に記載の寝具用振動発生装置。
【発明の詳細な説明】
【技術分野】
【０００１】
本発明は、寝具に横臥する人に振動を与える寝具用振動発生装置に関する。
【背景技術】
【０００２】
従来から、ベッド台の周辺に音楽等の音声信号を再生する音響ユニットを配置するとともに、該音響ユニットからの音声信号と同期してベッド台に横臥する人に人間の可聴領域における低周波数帯の振動を与える振動ユニットをベッド台に配置することで、ベッド台に横臥する人に音声を聴かせるとともに低周波数帯の振動を体感させる体感音響体が知られており、例えば特許文献１に開示されている。この従来例は、ベッドパッド等の人体が載置される人体載置物の内部に設けられる振動伝達部材と、振動伝達部材に取り付けられて低周波電流を受けると機械的振動を発生する電気・機械振動変換器とから成り、電気・機械振動変換器に低周波数帯の信号を与えることで振動伝達部材を介して人体に振動を与えるようになっている。
【特許文献１】特開平５−６４２７７号公報
【発明の開示】
【発明が解決しようとする課題】
【０００３】
しかしながら、上記従来例では、振動伝達部材がベッドパッドと一体になっているため、寝具使用時に横臥している人の汗や涎が付着する、飲料が零れる等してベッドパッドが汚れた場合、振動伝達部材を取り外せないことからベッドパッドのみを清掃することができないという問題があった。特に、ホテル等の不特定多数の客が宿泊する施設では、清潔感のある寝具が望まれており、上記のように洗濯できないことから採用されない場合があった。
【０００４】
本発明は、上記の点に鑑みて為されたもので、ベッドパッドのみを清掃することのできる寝具用振動発生装置を提供することを目的とする。
【課題を解決するための手段】
【０００５】
請求項１の発明は、上記目的を達成するために、ベッド台の上に載置されるベッドパッドと、外部の機器と接続されるとともに外部の機器からの信号を受けて人の可聴領域における低周波数帯の振動を発生する一乃至複数の振動子、及びベッドパッドに取り付けられて内部に振動子を収納するカバーから成る振動ユニットとで構成され、ベッドパッドには、振動ユニットを着脱自在に取り付ける取付機構が設けられたことを特徴とする。
【０００６】
請求項２の発明は、請求項１の発明において、ベッドパッドは、布製の袋体の内部に弾性を有し且つ洗濯可能な素材を収納して成ることを特徴とする。
【０００７】
請求項３の発明は、請求項１又は２の発明において、取付機構は、ベッドパッドにおいて横臥する人の足側と対応する位置に配設されることを特徴とする。
【０００８】
請求項４の発明は、請求項１乃至３の何れか１項の発明において、ベッドパッドは、布製の袋体の内部に弾性を有し且つ洗濯可能な素材を収納して成るベッドパッド本体と、ベッドパッド本体の少なくとも人が横臥する面を覆う外カバーとから成り、外カバーは、洗濯可能な素材から成ることを特徴とする。
【発明の効果】
【０００９】
請求項１の発明によれば、振動ユニットをベッドパッドに着脱自在に取り付けることができるので、寝具使用時に横臥している人の汗や涎が付着する、飲料が零れる等してベッドパッドが汚れた場合には、振動ユニットをベッドパッドから取り外すことでベッドパッドのみを清掃することができる。また、横臥している人の汗等によって振動ユニットが故障した場合に、ベッドパッド全体を交換せずに振動ユニットのみを交換するだけで対処することができる。
【００１０】
請求項２の発明によれば、ベッドパッドを洗濯したり陰干ししたりすることができ、ベッドパッドが汚れた場合に容易に清掃することができる。
【００１１】
請求項３の発明によれば、通常汗や涎等でベッドパッドが汚れ易い横臥する人の上半身側ではなくベッドパッドの汚れ難い足側に振動ユニットを配設することができ、振動ユニットを汚れ難くすることができる。また、横臥する人の頭側に配設する場合と比較して、振動による体調不良を発生し難くすることができる。
【００１２】
請求項４の発明によれば、横臥する人の汗や涎等による汚れの大部分が外カバーに付着するので、外カバーを洗濯又は交換することでベッドパッド全体を洗濯又は交換することなく装置を清潔に保つことができる。
【発明を実施するための最良の形態】
【００１３】
以下、本発明に係る寝具用振動発生装置の実施形態について図面を用いて説明する。但し、以下の説明では、図１における上下を上下方向、図１における左側をベッドパッド１に横臥する人の頭部側、図１における右側を前記横臥する人の足側と定めるものとする。本実施形態は、図１に示すように、ベッド台Ａ及びマットレスＢの上に載置されるベッドパッド１と、外部の機器（後述する音響ユニット）と接続されて外部の機器からの信号を受けて人の可聴領域における低周波数帯の振動を発生する一乃至複数の振動子（図示せず）、及びベッドパッド１に取り付けられて内部に振動子を収納するカバー２１から成る振動ユニット２とから構成される。
【００１４】
ベッドパッド１は、布製の袋体の内部に例えばウレタンや綿、羊毛等の弾性を有し且つ洗濯可能な素材を収納して成るベッドパッド本体１０と、ベッドパッド本体１０の人の横臥する面を覆う外カバー１１とから成る（図２（ａ），（ｂ）参照）。ベッドパッド本体１０の足側には、振動ユニット２をベッドパッド１に着脱自在に取り付けるための取付機構である袋状の収納部１２が一体に設けられている。収納部１２の足側周縁には、その内部の空間を開放する位置と閉塞する位置との間で移動自在な蓋部１２ａが一体に設けられており、該蓋部１２ａを開放することで振動ユニット２を収納部１２の内部に収納できるようになっている（図１（ａ）参照）。尚、蓋部１２ａ及び収納部１２の外面には、図示しないが前記閉塞位置で蓋部１２ａを収納部１２の外面に固定するための釦等の留め具がそれぞれ設けられている。
【００１５】
外カバー１１は、ベッドパッド本体１０と同様に布製の袋体の内部に例えばウレタンや綿等の弾性を有し且つ洗濯可能な素材を収納して成り、その全周に亘って櫛歯状のエレメント（図示せず）が設けられている。このエレメントは、ベッドパッド本体１０においても全周に亘って設けられており、両エレメントで線ファスナー（図示せず）を構成している。而して、線ファスナーに設けられたスライダ（図示せず）を摺動させることで、外カバー１１をベッドパッド本体１０に着脱自在に取り付けることができる。
【００１６】
振動ユニット２は、略平板状のカバー２１の内部に一乃至複数の振動子を取り付けた基板（図示せず）を収納して成る。各振動子にはリード線（図示せず）が接続されており、これらリード線を束ねた１本のケーブル２０の一端部をカバー２１に貫設された挿通孔（図示せず）を介して外部に取り出している。尚、ケーブル２０の前記一端部にはコネクタ２０ａが取り付けられており、該コネクタ２０ａを後述する音響ユニットの接続端子部３に接続することで音響ユニットからの信号を振動子に与えるようになっている（図１参照）。
【００１７】
ベッド台Ａの頭部側には、図１に示すように、上下方向に長尺な略平板状のヘッドボードＡ１が設けられている。ヘッドボードＡ１には、音楽等の音声信号を再生する音響ユニット（図示せず）と振動ユニット２の振動子とを接続するための接続端子部３が配設されている。音響ユニットは、例えばＣＤプレーヤー等のコンテンツ再生装置（図示せず）と、コンテンツ再生装置からの音声信号を増幅するアンプ（図示せず）と、増幅された音声信号を再生する一対のスピーカー（図示せず）とから構成される。一対のスピーカーは、ベッド台Ａに横臥する人に音楽を聴かせるように横臥する人の頭部の右側及び左側にそれぞれ配置される。
【００１８】
ここで、アンプは、人間の可聴領域における高周波数帯の音声信号を増幅するスピーカー用アンプと、人間の可聴領域における低周波数帯の音声信号を増幅する振動ユニット用アンプとから成る。このため、コンテンツ再生装置からの音声信号の高周波数帯をスピーカー用アンプで増幅してスピーカーで再生するとともに、音声信号の低周波数帯を振動ユニット用アンプで増幅して振動ユニット２で再生するようになっている。而して、高音域の音を横臥する人の耳で聴かせるとともに、耳では聴き取り難い低音域の音を振動によって体感させることで、横臥する人を睡眠状態に誘導する、或いは横臥する人の心身をリラックスさせる等の効果を奏することができる。尚、本実施形態ではヘッドボードＡ１に音響ユニットの接続端子部３のみを内蔵しているが、上記音響ユニットをヘッドボードＡ１に内蔵した構成であっても構わない。
【００１９】
以下、振動ユニット２をベッドパッド１に取り付ける方法について図面を用いて説明する。先ず、図２（ａ）に示すように、外カバー１１の周部及びベッドパッド本体１０の周部に設けられた線ファスナーのスライダを摺動させて線ファスナーを開き、外カバー１１を頭部側から足側に向かって開く。外カバー１１を開くと、図２（ｂ）に示すように足側に設けられた収納部１２が露出するので、収納部１２の蓋部１２ａを開けて振動ユニット２を収納部１２内部に収納する。この時、図２（ｃ）に示すように、振動ユニット２のケーブル２０が収納部１２の開口部から外部に露出するように振動ユニット２を収納する。その後、蓋部１２ａを閉じ、外カバー１１でベッドパッド本体１０を覆って各々のエレメントを合わせ、スライダを摺動させることで外カバー１１を閉じる。振動ユニット２をベッドパッド１から取り外す場合には、上記と同様に外カバー１１を開けて収納部１２から振動ユニット２を取り出せばよい。
【００２０】
上述のように、振動ユニット２をベッドパッド１に着脱自在に取り付けることができるので、寝具使用時に横臥している人の汗や涎が付着する、飲料が零れる等して振動ユニット２が故障した場合に、振動ユニット２をベッドパッド１から取り外して振動ユニット２のみを交換するだけで対処することができる。また、横臥している人の汗等によってベッドパッド１が汚れた場合には、振動ユニット２をベッドパッド１から取り外すことでベッドパッド１のみを清掃することができる。而して、不特定多数の客が宿泊するホテル等の宿泊施設においても本実施形態を好適に利用することができる。
【００２１】
ここで、本実施形態では、ベッドパッド１が布製の袋体の内部に洗濯可能な素材を収納した構成であるので、ベッドパッド１を洗濯したり陰干ししたりすることができ、ベッドパッド１が汚れた場合に容易に清掃することができる。
【００２２】
また、本実施形態では、ベッドパッド本体１０と、ベッドパッド本体の人の横臥する面を覆う洗濯可能な外カバー１１とでベッドパッド１を構成している。このため、横臥する人の汗や涎等による汚れの大部分が外カバー１１に付着するので、外カバー１１を洗濯又は交換することでベッドパッド本体１０を洗濯又は交換することなくベッドパッド１及び振動ユニット２を清潔に保つことができる。
【００２３】
尚、本実施形態では、ベッドパッド１の収納部１２を横臥する人の足側、特に両足の中心部に位置するように設けている。このように構成することで、通常汗や涎等でベッドパッド１が汚れ易い横臥する人の上半身側ではなく、ベッドパッド１の汚れ難い足側に振動ユニット２を配設することができ、振動ユニット２を汚れ難くすることができる。また、横臥する人の頭側に振動ユニット２を配設した場合、振動によって体調不良が発生する可能性があるが、上述のように振動ユニット２を横臥する人の足側に配設することで振動による体調不良を発生し難くすることができる。
【図面の簡単な説明】
【００２４】
【図１】本発明に係る寝具用振動発生装置の実施形態を示す概略図である。
【図２】（ａ）〜（ｄ）は、同上の振動ユニットをベッドパッドに取り付けるための一連の流れを示す説明図である。
【符号の説明】
【００２５】
１  ベッドパッド
１２  収納部
２  振動ユニット
２０  ケーブル
２０ａ  コネクタ
２１  カバー
３  接続端子部
Ａ  ベッド台
Ａ１  ヘッドボード
Ｂ  マットレス
【図１】
2010005204.tif 000003
【図２】
2010005204.tif 000004